(57)【特許請求の範囲】
【請求項１】
内燃機関から大気までの排気ガスの排出流路に挿入されたディーゼルパティキュレートフィルタ（以下、ＤＰＦ）における粒子状物質（以下、ＰＭ）の堆積量を検出するＰＭ検出装置であって、
ＤＰＦ内に配置された２つの電極間の静電容量がＰＭの堆積量によって変化するＰＭセンサと、
電気的に制御される可変抵抗器と３つの固定抵抗器が順次接続され、前記可変抵抗器に前記ＰＭセンサが並列接続され、前記可変抵抗器に隣接する固定抵抗器の１つに、電気的な制御により、静電容量の異なる複数の固定コンデンサの接続組み合わせを変えて、値の異なる複数の合成の静電容量に制御可能な可変コンデンサが並列接続されてなるブリッジ回路と、
前記ブリッジ回路の４つの接続点のうち、前記可変コンデンサ及び固定抵抗器と前記可変抵抗器及びＰＭセンサとが接続された接続点とその対角に位置する接続点が電圧印加点となっており、前記電圧印加点間に直流電圧と交流電圧を選択的に印加するための直流電源及び交流電源と、
前記電圧印加点間に直流電圧を印加して前記ブリッジ回路が平衡するよう前記可変抵抗器を調整し、その後、前記電圧印加点間に交流電圧を印加して前記ブリッジ回路が平衡するよう前記可変コンデンサを調整し、このときの前記可変コンデンサの静電容量からＰＭの堆積量を検出する検出部とを備えたことを特徴とするＰＭ検出装置。
【請求項２】
前記可変コンデンサは、静電容量の比が２のべき乗になる複数の固定コンデンサが各々スイッチを介して並列接続され、前記スイッチの開閉の組み合わせにより、合成の静電容量に制御されることを特徴とする請求項１記載のＰＭ検出装置。
【請求項３】
前記複数の固定コンデンサは、静電容量が等しい複数の単位コンデンサの組み合わせからなり、その組み合わせは、前記単位コンデンサが１つだけのもの、前記単位コンデンサが直列に２個以上接続されたもの、前記単位コンデンサが並列に２個以上接続されたものを含むことを特徴とする請求項２記載のＰＭ検出装置。
【発明の詳細な説明】
【技術分野】
【０００１】
本発明は、内燃機関の排気ガス中のＰＭを捕集し、堆積したＰＭを高温の排気ガスにより燃焼除去するＤＰＦに係り、簡素な構成で、正確にＰＭの堆積量を検出することができるＰＭ検出装置に関する。
【背景技術】
【０００２】
ディーゼルエンジンなどの内燃機関を搭載した車両では、内燃機関から大気までの排気ガスの排出流路にディーゼルパティキュレートフィルタ（Diesel Particulate Filter；以下、ＤＰＦという）を設置し、排気ガスに含まれる煤、すなわち粒子状物質（Particurate Matter；以下、ＰＭという）を捕集している。ＤＰＦは、主としてセラミックからなり、ハニカム細孔（又は四角い細孔）を多数有するフィルタである。ＤＰＦでは、排気ガスの通路となるハニカム細孔の表面にＰＭが付着することでＰＭが捕集される。
【０００３】
ＤＰＦに捕集されたＰＭが過度に多く堆積すると、内燃機関の排圧が上昇し内燃機関の特性の低下をきたす。そこで、内燃機関において主噴射後に必要に応じて追加燃料噴射を行う追加燃料噴射制御を行うことによって、排気温度を上昇させ、これによってＤＰＦを昇温させてＤＰＦに堆積したＰＭを燃焼させて除去する。この動作をＤＰＦ強制再生という。
【０００４】
ＤＰＦ強制再生時に、ＰＭの堆積量が多いと、大量のＰＭが燃焼して温度が過度に上昇し、ＤＰＦが溶損してしまう。これを避けるためには、ＰＭの堆積量を検出し、その検出した堆積量に基づいてＤＰＦ強制再生を開始するのが望ましい。ところが、従来は、正確に堆積量を検出できないので、安全係数を比較的多く取り、検出した堆積量があまり大きくならないうちにＤＰＦを強制再生している。この結果、必要以上に短い間隔でＤＰＦ強制再生が実行されることになる。
【０００５】
しかし、必要以上に短い間隔でＤＰＦ強制再生を実行すると燃料が余分に消費されることになり、燃費が悪化する。したがって、ＰＭの堆積量を正確に検出し、最も適切な時期にＤＰＦ強制再生を行うようにするのが望ましい。
【先行技術文献】
【特許文献】
【０００６】
【特許文献１】特開２００８−１３９２９４号公報
【特許文献２】特開２００９−９７４１０号公報
【発明の概要】
【発明が解決しようとする課題】
【０００７】
先に本発明者らは、ＤＰＦに複数の電極を設置すると、電極間の静電容量がＰＭの堆積量によって変化するという知見を得て、これによるＰＭセンサの出願を行った。しかしながら、ＤＰＦに電極を設置したＰＭセンサによる静電容量は非常に小さいため、従来の技術では安価な装置での測定が困難である。
【０００８】
従来技術では、静電容量測定対象に対して固定コンデンサか固定抵抗器を直列に接続しておき、高周波の交流電流を流すことで静電容量測定対象の両端間に電圧を発生させ、この電圧を整流した後、ローパスフィルタに通してＡＤコンバータに入力し、ＡＤコンバータで読み取られた電圧から静電容量を算出する。
【０００９】
ところが、ＰＭセンサの静電容量は非常に小さく、例えば、数ｐＦから数百ｐＦである。印加する交流電流の周波数を数百ＫＨｚ以下とすると、非常にインピーダンスが高い。したがって、検出回路も相応に高いインピーダンスを持つ必要があるが、素子、配線の分布容量などの面から、高いインピーダンスを確保することが難しく、正確な静電容量の測定ができない。
【００１０】
一方、インピーダンスを下げるために、交流電流の周波数を高くすると、通信に使用されている周波数帯となり、不要輻射の問題が生じると共に、ＰＭセンサと検出回路間の配線に発生する定在波の影響のため、配線の長さ、特性インピーダンスにより、ＰＭセンサの特性が大きく変化してしまう。さらに、読み取られた電圧から静電容量を算出するには交流電流の電圧が正確でなければならないが、正確な振幅の交流電源を得るためには、複雑な制御回路が必要となり、動作の安定性やコストの面で不利である。
【００１１】
このように、電極間の静電容量がＰＭの堆積量によって変化するようにしたＰＭセンサでは、従来技術で静電容量を正確に測定することができないため、正確にＰＭの堆積量を検出するのが困難である。
【００１２】
ここで、本発明者らは、ブリッジ回路を用いたＰＭセンサの静電容量検出を検討中である。詳しくは実施形態で述べるが、ＰＭセンサの静電容量と可変コンデンサの静電容量がつり合うように可変コンデンサの静電容量を掃引する。ブリッジ回路が平衡したとき、可変コンデンサの静電容量がＰＭセンサの静電容量を表すようにする。
【００１３】
しかし、このような用途に対して好適な可変コンデンサが存在しない。従来の可変コンデンサとして、回転式エアバリコンをステッピングモータで回転させるもの、あるいは回転式エアバリコンをＤＣモータで回転させて回転角センサで回転角を検知するものは、機械的に大きい、構造が複雑、動力を必要とし消費電力が大きいなどの問題がある。また、可変容量ダイオードは、可変範囲が狭く、ＰＭセンサの静電容量の変化に対応できない。また、可変容量ダイオードは、電圧を印加する必要があるため、ブリッジ回路への適用が困難である。したがって、本発明のために新規な可変コンデンサが望まれる。
【００１４】
そこで、本発明の目的は、上記課題を解決し、簡素な構成で、正確にＰＭの堆積量を検出することができるＰＭ検出装置を提供することにある。
【課題を解決するための手段】
【００１５】
上記目的を達成するために本発明は、内燃機関から大気までの排気ガスの排出流路に挿入されたディーゼルパティキュレートフィルタ（以下、ＤＰＦ）における粒子状物質（以下、ＰＭ）の堆積量を検出するＰＭ検出装置であって、ＤＰＦ内に配置された２つの電極間の静電容量がＰＭの堆積量によって変化するＰＭセンサと、電気的に制御される可変抵抗器と３つの固定抵抗器が順次接続され、前記可変抵抗器に前記ＰＭセンサが並列接続され、前記可変抵抗器に隣接する固定抵抗器の１つに、電気的な制御により、静電容量の異なる複数の固定コンデンサの接続組み合わせを変えて、値の異なる複数の合成の静電容量に制御可能な可変コンデンサが並列接続されてなるブリッジ回路と、前記ブリッジ回路の４つの接続点のうち、前記可変コンデンサ及び固定抵抗器と前記可変抵抗器及びＰＭセンサとが接続された接続点とその対角に位置する接続点が電圧印加点となっており、前記電圧印加点間に直流電圧と交流電圧を選択的に印加するための直流電源及び交流電源と、前記電圧印加点間に直流電圧を印加して前記ブリッジ回路が平衡するよう前記可変抵抗器を調整し、その後、前記電圧印加点間に交流電圧を印加して前記ブリッジ回路が平衡するよう前記可変コンデンサを調整し、このときの前記可変コンデンサの静電容量からＰＭの堆積量を検出する検出部とを備えたものである。
【００１６】
前記可変コンデンサは、静電容量の比が２のべき乗になる複数の固定コンデンサが各々スイッチを介して並列接続され、前記スイッチの開閉の組み合わせにより、合成の静電容量に制御されてもよい。
【００１７】
前記複数の固定コンデンサは、静電容量が等しい複数の単位コンデンサの組み合わせからなり、その組み合わせは、前記単位コンデンサが１つだけのもの、前記単位コンデンサが直列に２個以上接続されたもの、前記単位コンデンサが並列に２個以上接続されたものを含んでもよい。
【発明の効果】
【００１８】
本発明は次の如き優れた効果を発揮する。
【００１９】
（１）構成が簡素である。
【００２０】
（２）正確にＰＭの堆積量を検出することができる。
【図面の簡単な説明】
【００２１】
【図１】本発明の一実施形態を示すＰＭ検出装置の回路構成図である。
【図２】本発明のＰＭ検出装置に用いるＰＭセンサの特性図である。
【図３】（ａ）〜（ｄ）は、本発明のＰＭ検出装置に用いるＰＭセンサの概略構成図である。
【図４】本発明のＰＭ検出装置における可変コンデンサの概略の内部回路図である。
【図５】本発明のＰＭ検出装置における可変コンデンサの概略の内部回路図である。
【図６】本発明のＰＭ検出装置を搭載した車両の概略構成図である。
【発明を実施するための形態】
【００２２】
以下、本発明の一実施形態を添付図面に基づいて詳述する。
【００２３】
図１に示されるように、本発明に係るＰＭ検出装置１は、ＤＰＦ２内に配置された２つの電極間の静電容量がＰＭの堆積量によって変化するＰＭセンサ３と、電気的に制御される可変抵抗器４と３つの固定抵抗器５，６，７が順次接続され、可変抵抗器４にＰＭセンサ３が並列接続され、可変抵抗器４に隣接する固定抵抗器５に、電気的な制御により、静電容量の異なる複数の固定コンデンサの接続組み合わせを変えて、値の異なる複数の合成の静電容量に制御可能な可変コンデンサ８が並列接続されてなるブリッジ回路９と、ブリッジ回路９の４つの接続点のうち、可変コンデンサ８及び固定抵抗器５と可変抵抗器４及びＰＭセンサ３とが接続された接続点ａとその対角に位置する接続点ｂが電圧印加点ａ，ｂとなっており、電圧印加点ａ，ｂ間に直流電圧と交流電圧を選択的に印加するための直流電源１０及び交流電源１１と、電圧印加点ａ，ｂ間に直流電圧を印加してブリッジ回路９が平衡するよう可変抵抗器４を調整し、その後、電圧印加点ａ，ｂ間に交流電圧を印加してブリッジ回路９が平衡するよう可変コンデンサ８を調整し、このときの可変コンデンサ８の静電容量からＰＭの堆積量を検出する検出部１２とを備える。
【００２４】
さらに、本実施形態では、ＰＭ検出装置１は、ブリッジ回路９の４つの接続点のうち、電圧印加点ａ，ｂに挟まれた２つの接続点ｃ，ｄが測定点となっており、測定点ｃ，ｄのそれぞれにプラス入力端子とマイナス入力端子が接続された差動増幅器１３を備え、検出部１２は、電圧印加点ａ，ｂ間に直流電圧が印加されたときには差動増幅器１３の出力が０となるように可変抵抗器４を調整し、電圧印加点ａ，ｂ間に交流電圧が印加されたときには差動増幅器１３の出力が０となるように可変コンデンサ８を調整するようになっている。
【００２５】
ＤＰＦ２は、従来公知のもので、多数のハニカム細孔を有するセラミックから構成される。
【００２６】
ＰＭセンサ３は、図２に示されるように、ＤＰＦ２に捕集されたＰＭの堆積量が増えるとそれに比例して静電容量が増える特性を有する。
【００２７】
図３（ａ）に示したＰＭセンサ３ａは、円柱状のＤＰＦ２の外周の片側半分に沿わせて円筒片状の１つの電極３１を設け、反対側半分に沿わせて円筒片状のもう１つの電極３２を設けたものである。これにより、２つの電極３１，３２がＤＰＦ２を両側から挟んで互いに対向し、ＤＰＦ２にＰＭが捕集されると、電極３１，３２間に存在するＰＭの影響で静電容量が変化する。
【００２８】
図３（ｂ）に示したＰＭセンサ３ｂは、円柱状のＤＰＦ２の外周全体を覆うように円筒状の１つの電極３３を設け、ＤＰＦ２の中心部に円筒状のもう１つの電極３４を設けたものである。これにより、２つの電極３３，３４がＤＰＦ２の内外に同心状に配置され、ＤＰＦ２にＰＭが捕集されると、電極３３，３４間に存在するＰＭの影響で静電容量が変化する。
【００２９】
図３（ｃ）に示したＰＭセンサ３ｃは、円柱状のＤＰＦ２の外周全体を覆うように円筒状の１つの電極３５を設け、ＤＰＦ２の中心部に線が円筒状に複数本配置されてなるもう１つの電極３６を設けたものである。
【００３０】
図３（ｄ）に示したＰＭセンサ３ｄは、円柱状のＤＰＦ２の上流と下流それぞれにメッシュ状の２つの電極３７，３８を設けたものである。
【００３１】
図１の説明に戻る。
【００３２】
可変抵抗器４は、検出部１２から電気的に制御されて抵抗値が変化するものである。例えは、回転式ポテンショメータをステッピングモータで回転させるもの、回転式ポテンショメータをＤＣモータで回転させて回転角センサで回転角を制御するもの、複数の抵抗器からなる梯子回路のタップを切り替えるものなどからなり、適宜な上限抵抗値と下限抵抗値の間で、無段階に、あるいは適宜なきざみで段階的に抵抗値が変化するようになっている。
【００３３】
固定抵抗器５，６，７は、従来公知のものを用いる。固定抵抗器５，６，７の抵抗値は、互いに異なってもよく、互いに等しい抵抗値であってもよい。
【００３４】
可変コンデンサ８は、図４に示されるように、静電容量の比が２のべき乗になる複数の固定コンデンサ４１ａ〜４１ｈが各々スイッチ４２ａ〜４２ｈを介して並列接続されてなる。スイッチ４２ａ〜４２ｈには、リレー、半導体スイッチなどがある。
【００３５】
可変コンデンサ８は、スイッチ４２ａ〜４２ｈの開閉の組み合わせにより、合成の静電容量に制御される。すなわち、固定コンデンサ４１ｅの静電容量をＣ０としたとき、固定コンデンサ４１ａ〜４１ｈの静電容量はＣ0×２ｎ（ｎ＝−３〜＋４）で表される。スイッチ４２ａ〜４２ｈのうちスイッチ４２ａ〜４２ｇを開いてスイッチ４２ｈのみを閉じると、可変コンデンサ８の静電容量は固定コンデンサ４１ｈと同じ１／８Ｃ０となり、スイッチ４２ａ〜４２ｆを開いてスイッチ４２ｈ，４２ｇのみを閉じると、可変コンデンサ８の静電容量は固定コンデンサ４１ｈと固定コンデンサ４１ｇの並列による静電容量（１／８＋１／４）Ｃ０となる。このようにして、可変コンデンサ８は、最小１／８Ｃ０から最大（１／８＋１／４＋１／２＋１＋２＋４＋８＋１６）Ｃ０まで、１／８Ｃ０きざみで段階的に２５５通りに静電容量を変化させることができる。
【００３６】
さらに、複数の固定コンデンサ４１ａ〜４１ｈは、図５に示されるように、静電容量がＣ０の単位コンデンサ５１の組み合わせからなる。例えば、固定コンデンサ４１ｅは、単位コンデンサ５１が１つだけで構成される。固定コンデンサ４１ｆは、単位コンデンサ５１が直列に２個接続されて構成される。固定コンデンサ４１ｇは、単位コンデンサ５１が直列に４個接続されて構成される。一方、固定コンデンサ４１ｄは、単位コンデンサ５１が並列に２個接続されて構成される。固定コンデンサ４１ｃは、単位コンデンサ５１が並列に４個接続されて構成される。このように、４５個の単位コンデンサ５１を用いて、２のべき乗個ずつ直列又は並列に用いることにより、静電容量の比が２のべき乗になる複数の固定コンデンサ４１ａ〜４１ｈが構成される。
【００３７】
再び図１の説明に戻る。
【００３８】
図１のブリッジ回路９は、電圧印加点ａ，ｂと測定点ｃ，ｄを有するいわゆるホイートストンブリッジを構成するものであり、直流時には４つの抵抗からなる抵抗ブリッジとなり、交流時には４つの交流インピーダンスからなる交流インピーダンスブリッジとなる。
【００３９】
直流電源１０は、車載のバッテリ電源あるいはバッテリ電源を一次電源とする二次直流電源などが利用できる。直流電源１０は、電圧印加点ａ，ｂ間に直流電圧を印加するかしないかを検出部１２から制御可能である。
【００４０】
交流電源１１は、ブリッジ回路９中のＰＭセンサ３と可変コンデンサ８を交流インピーダンスとして動作させるためのもので、例えば、発振器で構成される。周波数としては、不要輻射の問題が生じない低い周波数とするのが好ましく、例えば、数百ＫＨｚ以下とする。交流電源１１は、電圧印加点ａ，ｂ間に交流電圧を印加するかしないかを検出部１２から制御可能である。
【００４１】
検出部１２は、プログラム式のデジタル回路であり、直流電源１０、交流電源１１、可変抵抗器４、可変コンデンサ８を制御すると共に、差動増幅器１３の出力電圧を読み取り、ブリッジ回路９の平衡点を検出することができる。検出部１２は、車両の燃料噴射等を制御する電子制御装置（ＥＣＵ）に組み込むのが好ましい。
【００４２】
差動増幅器１３は、プラス入力端子とマイナス入力端子の電圧の差を増幅して出力する演算増幅器である。
【００４３】
図６に示されるように、本発明のＰＭ検出装置１は、車両の内燃機関６１から大気までの排気ガスの排出流路６２に挿入されたＤＰＦ２におけるＰＭの堆積量を検出するものである。ＤＰＦ２内にはＰＭセンサ３が設置される。ブリッジ回路９、直流電源１０（二次直流電源の場合）、交流電源１１、差動増幅器１３は、回路基板６３に搭載される。回路基板６３と検出部１２は、車室内、エンジンルーム内、車体下面など適宜な場所に設置することができる。回路基板６３と検出部１２は、一体化させて同一のユニットとしてもよい。
【００４４】
以下、本発明のＰＭ検出装置１の動作を説明する。
【００４５】
ＰＭセンサ３においては、２つの電極間の静電容量が捕集されたＰＭの堆積量に応じて図２のようにほぼ直線的に変化する。よって、ＰＭセンサ３の静電容量に基づいてＰＭの堆積量を検出することができる。これは、電極間に導体であるＰＭが入ることで、見かけ上、電極間距離が小さくなり静電容量が大きくなる、また、電極間の媒体中にＰＭが増加して誘電率が大きくなり静電容量が大きくなるからと考えられる。
【００４６】
本発明では、図１のブリッジ回路９において交流インピーダンスブリッジが平衡状態のとき、可変コンデンサ８の静電容量とＰＭセンサ３の静電容量が等しくなることから、可変コンデンサ８の静電容量に基づいてＰＭの堆積量を検出する。ただし、これに先立ち、ブリッジ回路９において抵抗ブリッジの平衡を得る必要がある。これは、交流インピーダンスブリッジのみで平衡をとろうとすると、平衡を与える抵抗値と静電容量の組み合わせが複数存在し、静電容量が１つに定まらないからである。
【００４７】
検出部１２は、直流電源１０を制御して電圧印加点ａ，ｂ間に直流電圧を印加する。この状態で、ブリッジ回路９が平衡するよう可変抵抗器４を調整する。具体的には、検出部１２は、可変抵抗器４の上限抵抗値と下限抵抗値の間で抵抗値を掃引するように可変抵抗器４を制御しつつ、差動増幅器１３の出力を読み込む。ブリッジ回路９の平衡がとれると、測定点ｃ，ｄ間に電圧の差が生じない状態となるので、差動増幅器１３の出力が０又は微小となる。検出部１２は、差動増幅器１３の出力が０又は微小となる抵抗値に可変抵抗器４を固定する。
【００４８】
その後、検出部１２は、直流電圧の印加を停止し、交流電源１１を制御して電圧印加点ａ，ｂ間に交流電圧を印加する。この状態で、ブリッジ回路９が平衡するよう可変コンデンサ８を調整する。具体的には、検出部１２は、可変コンデンサ８の上限静電容量と下限静電容量の間で、静電容量を掃引するように可変コンデンサ８を制御しつつ、差動増幅器１３の出力を読み込む。ブリッジ回路９の平衡がとれると、測定点ｃ，ｄ間に電圧の差が生じない状態となるので、差動増幅器１３の出力が０又は微小となる。
【００４９】
このようにしてブリッジ回路９が直流と交流において平衡すると、検出部１２は、可変コンデンサ８の静電容量に基づいてＰＭの堆積量を検出する。可変コンデンサ８の静電容量は、検出部１２が制御によって与える値であるので、この値とＰＭの堆積量との対照表をあらかじめ検出部１２に設定しておけば、検出部１２は、対照表からＰＭの堆積量を読み出して検出結果とすることができる。
【００５０】
なお、ブリッジ回路９の平衡は、直流における平衡と交流における平衡を１回ずつ行うにとどまらず、直流における平衡と交流における平衡を交互に複数回繰り返すのが望ましい。
【００５１】
前述の動作中、検出部１２が静電容量を掃引するように可変コンデンサ８を制御する際、検出部１２は、スイッチ４２ａ〜４２ｈの開閉の組み合わせを、８桁の２進数における０と１の組み合わせのように切り替えることで、１／８Ｃ０きざみ（分解能）で段階的に２５５通りに静電容量を変化させることができる。
【００５２】
以上説明したように、本発明のＰＭ検出装置１によれば、ブリッジ回路９が平衡となる可変コンデンサ８の静電容量を探ることによってＰＭセンサ３の静電容量を知ることができる。可変コンデンサ８の静電容量は、検出部１２が制御によって与えた値であるから、正確である。よって、検出されたＰＭの堆積量は正確となる。
【００５３】
本発明のＰＭ検出装置１によれば、交流電源１１が印加する交流電圧の振幅値とは無関係にブリッジ回路９の平衡をとることができるので、交流電圧の振幅値が正確である必要はない。このため、交流電源１１を構成する発振器回路は、簡素な構成とすることができる。これにより、交流電源１１は安価でありながら、信頼性の高いものとすることができる。
【００５４】
本発明のＰＭ検出装置１によれば、可変コンデンサ８は、静電容量の比が２のべき乗になる複数の固定コンデンサ４１ａ〜４１ｈを任意に組み合わせて並列接続し、合成の静電容量が得られるように制御するので、回転式エアバリコンをステッピングモータやＤＣモータで回転させるのに比べて、機械的に小型にでき、構造も簡素となり、安価になると共に、動力をほとんど必要としないので消費電力が低減できる。
【００５５】
本発明のＰＭ検出装置１によれば、複数の固定コンデンサ４１ａ〜４１ｈは静電容量が等しい複数の単位コンデンサ５１の組み合わせで構成される。ここで、市販の固定コンデンサは、静電容量がＥ１２系列、Ｅ２４系列と呼ばれる等比数列で設定されており、静電容量の比が２のべき乗になるものを入手するのは困難である。また、市販の固定コンデンサは、個々の静電容量のものがそれぞれ別ロットであるため、誤差のバラツキが大きい。その点、本発明では、単位コンデンサ５１を１つだけ、あるいは単位コンデンサ５１を直列に２の倍数個接続して、あるいは単位コンデンサ５１を並列に２の倍数個接続することで、静電容量の比が２のべき乗になる複数の固定コンデンサ４１ａ〜４１ｈを実現することができるので、市販品に制約されることがなく、特注する必要もない。
【００５６】
本発明のＰＭ検出装置１によれば、複数の固定コンデンサ４１ａ〜４１ｈを静電容量が等しい複数の単位コンデンサ５１の組み合わせで構成される。ここで、市販の固定コンデンサは、誤差範囲（ばらつきの範囲）が大きく、固定コンデンサ４１ｈに相当するような小さい静電容量が固定コンデンサ４１ａに相当するような大きい静電容量の誤差よりはるかに小さいことになり、合成する意味がなくなってしまう。その点、本発明では、静電容量が等しい複数の単位コンデンサ５１は、ばらつきの範囲が小さい同一ロットから取り出して使用することができる。取り出し方は、要求される精度に応じて無作為にしてもよく、必要があれば、同一ロットから誤差が揃ったものを選別して取り出すようにするとよい。これにより、固定コンデンサ４１ａ〜４１ｈの静電容量の比が精度よく２のべき乗になるように揃えることができ、可変コンデンサ８の設定値に対する連続性が確保できる。静電容量はある程度の誤差を含むが、ソフトウェアによる学習補正を行うとよい。回転式エアバリコンを機械的に可変させる場合でも同様の学習補正は有効である。
【符号の説明】
【００５７】
１  ＰＭ検出装置
２  ＤＰＦ（ディーゼルパティキュレートフィルタ）
３  ＰＭセンサ
４  可変抵抗器
５，６，７  固定抵抗器
８  可変コンデンサ
９  ブリッジ回路
１０  直流電源
１１  交流電源
１２  検出部
１３  差動増幅器
４１ａ〜４１ｈ  固定コンデンサ
４２ａ〜４２ｈ  スイッチ
５１  単位コンデンサ
【図１】
0005521579.tif 000002
【図２】
0005521579.tif 000003
【図３】
0005521579.tif 000004
【図４】
0005521579.tif 000005
【図５】
0005521579.tif 000006
【図６】
0005521579.tif 000007